(57)【要約】【課題】主に上枠のコーナー部で上段コンテナの荷重を受承することで、コンテナ構成部材の構造の複雑化を極力回避しながら、機能面での不都合を生じることなく上段コンテナの荷重を確実に支持できる折り畳みコンテナを提供する。【解決手段】コンテナは、平面矩形状且つ枠状の上枠１及び平面矩形状の底板３を具備し、折り畳み時には上枠１の各コーナー部の下端が底板３の各コーナー部の上端にそれぞれ接触するように構成されている。上枠１の各コーナー部には、上枠の上基準面よりも上方に突出する第１及び第２の支持突部１５，２５が設けられている。これらの支持突部１５，２５は、段積み時に上段コンテナの底板３のコーナー部の下側（３３，３５）を当接させてその上段コンテナの荷重を支持する。【選択図】      図３
2004268919.tif 000002
【特許請求の範囲】
【請求項１】
平面矩形状且つ枠状の上枠、平面矩形状の底板、及び、上枠と底板との間にあって折り畳み可能に構成された複数の側板を具備し、折り畳み時に上枠及び底板が相互接触してできる内部空間に複数の側板を収納可能な折り畳みコンテナにおいて、
折り畳み時には、少なくとも前記上枠の各コーナー部の下端が前記底板の各コーナー部の上端にそれぞれ接触するように構成されており、
前記上枠の各コーナー部には、上枠の上基準面よりも上方に突出すると共に、段積み時に上段コンテナの底板のコーナー部の下側を当接させてその上段コンテナの荷重を支持するための支持突部が設けられていることを特徴とする折り畳みコンテナ。
【請求項２】
前記上枠のコーナー部から所定距離だけ離れた辺部において上枠の上基準面には、段積み時に上段コンテナが所定の横方向にずれるのを防止すべく上段コンテナの底板の一部と当接可能な横ズレ規制用突部（１６）が設けられており、前記支持突部の上基準面からの突出高（ｈ２）は、前記横ズレ規制用突部の上基準面からの突出高（ｈ３）よりも高く設定されていることを特徴とする請求項１に記載の折り畳みコンテナ。
【請求項３】
折り畳みコンテナは、前記上枠に対し開閉可能に装着された蓋を更に具備しており、前記上枠の上基準面は蓋閉時における蓋の載置面として機能し、前記支持突部の上基準面からの突出高（ｈ１，ｈ２）は、前記上基準面に載置された蓋の上面よりも高くなるように設定されていることを特徴とする請求項１又は２に記載の折り畳みコンテナ。
【請求項４】
前記上枠のコーナー部の一側面には、横方向に開口した凹部が形成されると共に、前記支持突部の少なくとも一部が前記凹部の直上に位置しており、前記凹部の直上に位置する支持突部は、前記凹部を区画する略水平な上側内壁面に対してほぼ直角に垂立する複数の垂立壁で構成されることを特徴とする請求項１〜３のいずれかに記載の折り畳みコンテナ。
【請求項５】
前記複数の垂立壁で構成される支持突部と前記凹部との境界部には、複数の垂立壁間に確保される空間領域と前記凹部とを連通させる連通孔が貫通形成されていることを特徴とする請求項４に記載の折り畳みコンテナ。
【発明の詳細な説明】
【０００１】
【発明の属する技術分野】
本発明は、折り畳み可能な物品収納容器（折り畳みコンテナ）に関し、特にコンテナの段積み時における荷重の支持伝達構造に関する。
【０００２】
【従来の技術】
折り畳みコンテナの特徴は、保管時や運搬時等の未使用時に折り畳むことで嵩張らせないと共に、折り畳まれた各コンテナを複数個垂直に段積みすることで保管等が楽になる点にある。但し、段積み時、各段のコンテナには、その上段に積み上げられたコンテナの全荷重がかかることから、機能面での不都合を生じることなく確実に上段コンテナの荷重を支持伝達可能な構造をどのように設計するかは、折り畳みコンテナにおける重要テーマとなっている。
【０００３】
特許文献１の蓋付き折り畳みコンテナでは、蓋の上面の四辺の端縁に沿って突条を突設すると共に、コンテナ本体底面には前記蓋の突条によって囲まれる部分より狭い範囲で接地部を突設している。そして、段積み時には、上段コンテナの底面接地部を下段コンテナの蓋上面の突条の内側に嵌め込むと共に、蓋上面の突条によって上段コンテナの荷重を支えている。
【０００４】
特許文献２では、段積み時の荷重が災いして、折り畳み状態にあるコンテナの上枠を構成する側壁の下縁部と、当該コンテナの底板を構成する立ち上がり体の上縁部とが一致しなくなり、上枠の側壁が底板の立ち上がり体の外側に被さる事態（いわゆる底板に対する上枠の食い込み（又は食い違い））を未然防止せんとの問題意識の下に、上枠及び底板の構造を工夫している。具体的には、上枠の内壁下縁部に広巾部を形成すると共に、底板の内壁上縁部であって前記上枠広巾部と上下に対応する位置に広巾部を形成し、折り畳み時には、上枠及び底板の縁部同士、並びに、上枠広巾部及び底板広巾部が互いに当接するようにして、底板に対する上枠の食い込みを防止している。
【０００５】
【特許文献１】特開平１１−１４７５３４号公報  （図１及び図３）
【特許文献２】特開平８−１１３２３６号公報  （要約、第０００６〜０００７段落、図１，図４，図５，図１１及び図１２）
【０００６】
【発明が解決しようとする課題】
しかしながら、上記特許文献１のように蓋上面の突条で上段コンテナの荷重を支える構造を採用すると、少なくとも当該突条部分については高い剛性及び強度を確保できるような蓋形状の設計が必要になる。また、蓋上面の突条で荷重を受け止めたとしても、その荷重は結局のところ、蓋を取り付けている矩形枠状の口枠（上枠）に伝達する必要があり、蓋から口枠への荷重伝達が確実となるような蓋及び口枠の形状設計が必要になる。それ故、蓋を設計する際の制約が大きくなるばかりか蓋の構造が複雑化する虞れもある。
【０００７】
特許文献２のように、コンテナを構成する上枠及び底板に対しそれぞれ対応する広巾部を付与することは、上枠及び底板双方の構造を複雑化する。また、特許文献２の対策は、上枠及び底板における四つの辺部の各々の中央部付近で荷重を伝達するとの前提に立つものである。
【０００８】
本発明は、主として上枠のコーナー部で上段コンテナの荷重を受承することにより、コンテナ構成部材の構造の複雑化を極力回避しながら、機能面での不都合を生じることなく上段コンテナの荷重を確実に支持できる折り畳みコンテナを提供することを目的とする。また、上段コンテナの荷重を受承する上枠コーナー部の強度を向上させるための合理的対策を提供することを目的とする。
【０００９】
【課題を解決するための手段】
請求項１の発明は、平面矩形状且つ枠状の上枠、平面矩形状の底板、及び、上枠と底板との間にあって折り畳み可能に構成された複数の側板を具備し、折り畳み時に上枠及び底板が相互接触してできる内部空間に複数の側板を収納可能な折り畳みコンテナにおいて、折り畳み時には、少なくとも前記上枠の各コーナー部の下端が前記底板の各コーナー部の上端にそれぞれ接触するように構成されており、前記上枠の各コーナー部には、上枠の上基準面よりも上方に突出すると共に、段積み時に上段コンテナの底板のコーナー部の下側を当接させてその上段コンテナの荷重を支持するための支持突部が設けられていることを特徴とする折り畳みコンテナである。
【００１０】
請求項２の発明は、請求項１に記載の折り畳みコンテナにおいて、前記上枠のコーナー部から所定距離だけ離れた辺部において上枠の上基準面には、段積み時に上段コンテナが所定の横方向にずれるのを防止すべく上段コンテナの底板の一部と当接可能な横ズレ規制用突部（１６）が設けられており、前記支持突部の上基準面からの突出高（ｈ２）は、前記横ズレ規制用突部の上基準面からの突出高（ｈ３）よりも高く設定されていることを特徴とする。
【００１１】
請求項３の発明は、請求項１又は２に記載の折り畳みコンテナにおいて、折り畳みコンテナは、前記上枠に対し開閉可能に装着された蓋を更に具備しており、前記上枠の上基準面は蓋閉時における蓋の載置面として機能し、前記支持突部の上基準面からの突出高（ｈ１，ｈ２）は、前記上基準面に載置された蓋の上面よりも高くなるように設定されていることを特徴とする。
【００１２】
請求項４の発明は、請求項１〜３のいずれかに記載の折り畳みコンテナにおいて、前記上枠のコーナー部の一側面には、横方向に開口した凹部が形成されると共に、前記支持突部の少なくとも一部が前記凹部の直上に位置しており、前記凹部の直上に位置する支持突部は、前記凹部を区画する略水平な上側内壁面に対してほぼ直角に垂立する複数の垂立壁で構成されることを特徴とする。
【００１３】
請求項５の発明は、請求項４に記載の折り畳みコンテナにおいて、前記複数の垂立壁で構成される支持突部と前記凹部との境界部には、複数の垂立壁間に確保される空間領域と前記凹部とを連通させる連通孔が貫通形成されていることを特徴とする。
【００１４】
（請求項１〜５に共通の作用）
本発明によれば、コンテナの折り畳み時には、上枠の各コーナー部の下端が底板の各コーナー部の上端にそれぞれ接触することで、上枠が底板の上に安定支持されてコンテナの折り畳み状態が実現される。このような折り畳み状態にあるコンテナを複数個垂直方向に段積みした場合、上段コンテナの荷重は、その底板の各コーナー部を介して、下段コンテナの上枠の各コーナー部に設けられた支持突部に支持伝達される。即ち、折り畳んだコンテナを複数個垂直方向に段積みしたときの上段からの荷重は、一貫して各段における上枠及び底板のコーナー部によって支持伝達される。特に矩形枠形状をした上枠にあっては、辺中央部よりもコーナー部の方が強度及び剛性が高いため、上枠のコーナー部及びそこに設けられた支持突部に荷重を負荷させることで、耐荷重性が従来よりも向上する。
【００１５】
（付記）本発明の更に好ましい態様や追加的構成要件を以下に列挙する。
前記請求項４又は５において、前記複数の垂立壁はそれぞれの両端部において相互連結されていること。前記請求項４又は５において、前記複数の垂立壁はそれぞれの中央部において相互連結されていること。
【００１６】
【発明の実施の形態】
本発明の一実施形態に従う折り畳みコンテナを図面を参照して説明する。
図１は、折り畳みコンテナを組み立てた状態での概略を示す。図１に示すように、コンテナは、平面矩形状且つ枠状の上枠１、その上枠１に対応する平面矩形状をなす底板３、上枠１と底板３との間で対向関係にある一対のあおり板（短側板）５、同じく対向関係にある一対の折り板（長側板）７、及び、上枠１に対し開閉可能に装着された一対の蓋９を備えている。これらコンテナ構成部材（１，３，５，７及び９）は合成樹脂等のプラスチックで作られている。
【００１７】
各あおり板５は、取付軸５ａによって上枠１に対し回動可能に取り付けられている。各折り板７は、上下二つの板片（長側上板７１及び長側下板７２）を連結部７３にて内側に折れ曲がり得るように連結して構成されている。長側上板７１は取付軸７１ａによって上枠１に対し回動可能に取り付けられ、長側下板７２は取付軸７２ａによって底板３に対し回動可能に取り付けられている。それ故、長側上板７１及び長側下板７２が一つの垂立面状態となるように各折り板７を延ばした状態で各あおり板５を垂立させれば、図１のようにコンテナが組み立てられる。逆に、各あおり板５を上枠１の内側に傾倒させた後、各折り板７を連結部７３にて内側に折り曲げれば、図２、図３及び図４に示すようにコンテナが折り畳まれる。なお、折り畳み時には、上枠１の下端が底板３の上端に接触する共に、その際に上枠１と底板３との間に確保される内部空間に、二枚のあおり板５及び折り曲げ状態の二つの折り板７が収納される。
【００１８】
本発明の要部は上枠１及び底板３にあるので、これらの構成及び作用に力点をおいて以下説明する。尚、図３は、折り畳み状態にあるコンテナの一コーナー部を上枠側から見た斜視図であり、図４は、同じく折り畳み状態にあるコンテナの一コーナー部を底板側から見た斜視図である。
【００１９】
図５（Ａ）及び図６（Ａ）は、上枠１を二つの中心分割線Ｘ及びＹで４分割したときの４分の１隅を図示する。上枠１は、中心分割線Ｘ及びＹの各々に対して対称形をなす。各図からわかるように、上枠１は平面矩形状の枠体であり、対向関係にある一対の短辺部１１及び一対の長辺部２１から構成される。短辺部１１と長辺部２１との連結部分には、都合４つのコーナー部が形成される。短辺部１１は所定厚さの側壁１２及び上壁１３を備え、その内部は中空となっている（図６（Ｃ），（Ｄ）参照）。同様に、長辺部２１は所定厚さの側壁２２及び上壁２３を備え、その内部は中空となっている（図５（Ｃ），（Ｄ）参照）。コンテナの組み立て時、上枠の各短辺部１１は各あおり板５の直上に位置し、各長辺部２１は各折り板７の直上に位置する。尚、説明の便宜上、コンテナを三次元直交座標系にあてはめた場合における二つの水平方向をそれぞれ短辺方向及び長辺方向と呼ぶことにする（図１，図５及び図６参照）。
【００２０】
図５及び図６に示すように、上枠短辺部１１の上壁１３の上面１４は、上枠１における一つの基準面（上基準面）をなしている。この短辺部上面１４は、二つの蓋９で上枠中央の開口領域を塞ぐ（閉じる）際に蓋９を載せて支えるための載置面としても機能する。図２，３，５及び６に示すように、短辺部１１の両端各部（上枠コーナー部の一部分）には、短辺部上面１４よりも上方に突出する第１の支持突部１５が設けられている。また、短辺部上面１４には、前記コーナー部の第１支持突部１５から所定距離だけ離れた位置において横ズレ規制用突部１６が突設されている。この横ズレ規制用突部１６は、段積み時に上段のコンテナが長辺方向に横ズレするのを防止する目的で設けられ、上段コンテナの底板３の一部と当接可能である。
【００２１】
なお、各蓋９には、蓋閉時に横ズレ規制用突部１６を通すための貫通孔９１が形成されており（図３参照）、蓋９と横ズレ規制用突部１６とが相互干渉して蓋の開閉を阻害するようなことはない。
【００２２】
上枠長辺部２１の上壁２３の上面２４も、前記短辺部上面１４と同じ高さに設定されて上枠１における一つの基準面（上基準面）をなしている。長辺部２１の両端各部（上枠コーナー部の一部分）には、長辺部上面２４よりも上方に突出する第２の支持突部２５が設けられている。また、長辺部上面２４には前記第２支持突部２５と連続する隣接位置において、第２支持突部２５と同じ高さを持つ第２の横ズレ規制部２６が設けられている。この第２の横ズレ規制部２６は、段積み時に上段のコンテナが短辺方向に横ズレするのを防止する目的で設けられ、上段コンテナの底板３の一部と当接可能である。
【００２３】
更に、長辺部２１の辺中央域には、複数の軸支部２７が設けられている。これら軸支部２７は、各蓋９の端縁に形成された軸着部９２（図２（Ｂ）及び図３参照）と共に一種の蝶番を構成して、上枠１に対し蓋９を回動可能に軸支する部位である。尚、各軸支部２７は第２支持突部２５と同じ高さに設定されており、段積み時に上段コンテナを支える際の補助的な荷重支持部としても機能する。
【００２４】
図５（Ｂ）に示すように、上枠の短辺部上面１４を高さ基準（即ち上基準面）とした場合における第１支持突部１５の突出高ｈ１、第２支持突部２５の突出高ｈ２（これは第２の横ズレ規制部２６及び軸支部２７の突出高でもある）、並びに横ズレ規制用突部１６の突出高ｈ３は、ｈ１＜ｈ３＜ｈ２の関係に設定されている。つまり、第２支持突部２５は、（ｈ２−ｈ３）の高低差分だけ横ズレ規制用突部１６よりも高くなっている。また、第１支持突部１５の突出高ｈ１及び第２支持突部２５の突出高ｈ２はいずれも、上枠１の短辺部上面１４に蓋９を載置した場合における該蓋９の上面よりも高くなるように設定されている。
【００２５】
他方、図１，２及び４に示すように、底板３は平面矩形状をなすと共に、矩形状の四辺に対応した４つの垂直側面を有し所定の高さを持つ。この底板３の４つの垂直側面の各々は、上枠の側壁（１２，２２）と同様に所定厚さの側壁３１で構成されており、隣り合う側壁３１の連結部には、都合４つのコーナー部が形成される。そして、４つの側壁３１で囲まれた内側領域には、側壁３１の高さにほぼ対応した比較的浅い凹状空間が区画されている。コンテナの折り畳み時には、主として上枠１及び底板３の各コーナー部において、底板３の側壁３１の上端縁に対し上枠１の側壁１２，２２の下端縁が接触することで、上枠１が底板３の上に安定支持されると共に、上枠１と底板３との間には前記あおり板５及び折り板７を収納する内部空間が確保される。
【００２６】
底板３の底部（下部）の各辺は、高さが段違いとなるように形成されている。具体的には図２及び図４に示すように、底板３の底部（下部）には、底板における最底端面（即ち地面に直置きする場合の接地面）３２ａを提供する下端突出部３２と、その下端突出部３２の四方を取り囲むと共に下端突出部３２よりも少し高く位置する段差部３３とが設けられている。底板３の各側壁３１の下端縁は、段差部３３の周縁につながっている。また、底板の下端突出部３２の４つの側面３４は、段差部３３から垂直に延びる面として形成されており、これらの面３４の一部が、前記上枠の横ズレ規制用突部１６と接触可能な規制面３４１および第２の横ズレ規制部２６と接触可能な規制面３４２を提供する。
【００２７】
更に、底板３の底部（下部）の各コーナーには膨出部３５が設けられている。この膨出部３５は、あたかも下端突出部３２の一側面から段差部３３の上方に張り出すように、あるいは段差部３３から下端突出部３２の側方に盛り上がるように形成されている。この膨出部３５の最下端面３５ａと下端突出部３２の最底端面３２ａとは面一であり、段差部３３（即ち各側壁３１の下端縁）を基準とした膨出部３５の実質的な高さｈ４（図４参照）は、前記突出高ｈ２及びｈ１（図５（Ｂ）参照）の差に相当する（ｈ４＝ｈ２−ｈ１）。図４に示すように、膨出部３５と、それに隣接する段差部３３の一部（３３Ａ）とによって、底板３の底部（下部）におけるコーナー部が構成されている。
【００２８】
さて、図１の組み立て状態にあるコンテナにおいて、各あおり板５を上枠１の内側に傾倒させると共に各折り板７を連結部７３にて内側に折り曲げることで、図２等に示すようにコンテナが折り畳まれる。このとき上枠１及び底板３の各コーナー部において、上枠の各コーナー部を構成する側壁１２，２２の下端縁が、それと対向する底板の側壁３１の上端縁に対し当接する。また、上枠の長辺部２１を構成する側壁２２の下端縁の全体が、それと対向する底板の側壁３１の上端縁に対し当接する。こうして底板３の側壁３１上に上枠１が支持されると共に、その際に上枠１と底板３との間に確保される内部空間に二枚のあおり板５及び折り曲げ状態の二つの折り板７が収納される。
【００２９】
このように折り畳まれたコンテナが複数個垂直方向に段積みされる場合には、下段コンテナの上枠１の各コーナー部に位置する第１及び第２の支持突部１５，２５上に、上段コンテナの底板３の各コーナー部が載せられる。具体的には、下段コンテナ上枠１の第１支持突部１５の上には、上段コンテナ底板３の膨出部３５が載せられると共に、下段コンテナ上枠１の第２支持突部２５の上には、前記膨出部３５と共に上段コンテナ底板３のコーナー部を構成する段差部の一部３３Ａ（図４参照）が載せられる。基本的に、下段コンテナ上枠１と上段コンテナ底板３との間のコーナー部同士の当接だけで、垂直方向への荷重の伝達及び支持が達成されるが、本実施形態のコンテナでは、段積み時、下段コンテナ上枠１の長辺部２１上端の軸支部２７上にも、それと対向する上段コンテナ底板３の段差部３３（より具体的には側壁３１の下端縁）が当接して、垂直方向への荷重の伝達及び支持を補助する。
【００３０】
なお、複数コンテナの段積み時には、上段コンテナ底板３の下端突出部の側壁３４が下段コンテナ上枠１の各横ズレ規制部１６，２６に近接配置される。具体的には、下段コンテナ上枠１の短辺部１１に設けられた各横ズレ規制用突部１６の内側面に対向するように上段コンテナ底板３の下端突出部側壁３４における規制面３４１が近接配置され、下段コンテナ上枠１の長辺部２１に設けられた各第２の横ズレ規制部２６の内側面に対向するように上段コンテナ底板３の下端突出部側壁３４における規制面３４２が近接配置される。その結果、横ズレ規制用突部１６と規制面３４１との相互規制関係により、上下に隣り合うコンテナ間における長辺方向への横ズレが防止され、且つ、第２の横ズレ規制部２６と規制面３４２との相互規制関係により、上下に隣り合うコンテナ間における短辺方向への横ズレが防止される。
【００３１】
このように本実施形態では、折り畳まれた複数個のコンテナを垂直方向に段積みする場合に、上段コンテナの荷重を主として、その底板１の各コーナー部を介して下段コンテナの上枠１の各コーナー部に設けられた支持突部１５，２５に伝達するような構造を採用したので、段積み時における上段からの荷重は、一貫して各段における上枠１及び底板３のコーナー部によって支持伝達される。矩形枠形状をした上枠１にあっては、辺部中央よりもコーナー部の方が強度及び剛性が高いため、上枠１のコーナー部及びそこに設けられた支持突部１５，２５に荷重を負荷させることは、耐荷重性を高める意味で非常に有利である。
【００３２】
加えて本実施形態では、上枠短辺部１１に設けた横ズレ規制用突部１６の突出高ｈ３を上枠コーナー部の長辺部側に設置した第２支持突部２５の突出高ｈ２よりも低く設定することにより、段積み時に、上段コンテナ底板３の段差部３３の下面と、下段コンテナ上枠１の横ズレ規制用突部１６の上端との間に、前記二つの突出高差（ｈ２−ｈ３）に相当する隙間が確保され、横ズレ規制用突部１６が上段コンテナの荷重を直接受け止めないようにした。その反射効として、段積み時に前記横ズレ規制用突部１６を介して上枠の短辺部１１が下に押されることがなくなり、底板３に対する上枠１の食い込みが未然に回避される。
【００３３】
この点について、図７の仮想事例（比較例）と比較しながら簡単に説明する。もし仮に図７に示すように、コンテナの折り畳み時に、上枠短辺部１１の横ズレ規制用突部１６の直下における短辺部側壁１２の下端縁が、底板３の側壁３１の上端縁に当接する構造であり、なお且つ、段積み時に横ズレ規制用突部１６が上段コンテナの荷重を受け止める構造であったと仮定する。図７のような構造の場合、段積み時に上からの荷重がかかったとき、その荷重が横ズレ規制用突部１６を介して上枠短辺部１１に直接伝達される。横ズレ規制用突部１６が上枠のコーナー部から離れた位置に設けられていることもあって、上枠短辺部１１の中央域は上からの荷重を受けてたわみやすい。このため、上からの荷重によって上枠短辺部の側壁１２が下に押される傾向にあり、図７に仮想線で示すように上枠短辺部の側壁１２が外ぶくれして底板３の側壁３１の外側に覆い被さってしまうことがある。このことが、上枠１と底板３との間における側壁同士の食い込み（又は食い違い）を生む。これに対し、本実施形態では、上枠短辺部１１の横ズレ規制用突部１６が上段コンテナの荷重を直接受け止めることがないため、段積みに起因して上枠１と底板３との間で食い込みを生じることがない。
【００３４】
また、本実施形態のコンテナによれば、段積み時の荷重は各段のコーナー部を介して確実に接地面に伝達され、各段のコンテナの上枠１（特に辺部）を変形させるように働くことがない。仮に段積み時の荷重に起因してコンテナの上枠１が変形すると、コンテナを折り畳み状態から組み立て状態に移行させる場合に、例えばあおり板５がスムーズに回動せずうまく垂立させることができない等の機能障害を生じる虞れがある。この点、本実施形態のコンテナでは、そもそも上枠１の変形が起きないので、かかる機能障害を心配する必要がない。
【００３５】
次に、上枠１の各コーナー部に設けられた第２の支持突部２５とその周辺構造について説明する。特に図３及び図４に示すように、上枠コーナー部の長辺部側の側壁２２には、所定の横方向（短辺方向）に開口した二つの凹部２８が形成され、両凹部２８は直立した仕切壁２９によって分離されている。これら凹部２８は上枠１の軽量化を図るための肉抜きであるにとどまらず、一方の凹部２８内には、あおり板５の取付軸５ａを支えるためのスリーブ状の軸支部５１が形成されており、軸支部５１の収容空間としての役割をも担う。凹部２８の各々を区画している五つの内壁面のうちの上側内壁面２８ａはほぼ水平に形成され、前記第２支持突部２５の底壁部の底面ともなっている。即ち、第２支持突部２５は、各凹部の上側内壁面２８ａを間に挟んで両凹部２８の直上に位置する。
【００３６】
図３，図４及び図５（Ｄ）からわかるように、第２支持突部２５は、前記凹部の上側内壁面２８ａに対してほぼ直角に垂立する二つの垂立壁４１，４２を備えている。これら二つの垂立壁４１，４２はそれぞれが長辺方向に延びると共に、互いに所定間隔を隔てて平行に設けられている。両垂立壁４１，４２の両端部は上枠の肉部４３，４４で連結され、両垂立壁４１，４２の中央部は、前記仕切壁２９の上方延長上に位置する中央連結部４５で連結されている。
【００３７】
即ち、第２支持突部２５は、凹部２８の上側内壁面２８ａを底面とする底壁部と、二つの垂立壁４１，４２と、両垂立壁を連結する両端の肉部４３，４４及び中央連結部４５から構成されている。その結果、中央連結部４５の両側には、二つの垂立壁４１，４２間に確保される空間領域としての凹状の肉抜き部４６が形成される。そして、特に図４，図５（Ｄ）及び図６（Ｂ）に示すように、各肉抜き部４６の底壁部（つまり第２支持突部２５と凹部２８との境界部としての凹部上側内壁面２８ａを底面とする底壁部）には、垂直方向に延びる連通孔４７がそれぞれ貫通形成されている。各連通孔４７は、それぞれ対応する肉抜き部４６と凹部２８とを連通させる。
【００３８】
このように本実施形態では、凹部２８の直上に位置する第２支持突部２５が、凹部上側内壁面２８ａに対し直角な一対の垂立壁４１，４２で構成されることにより、第２支持突部２５の重量増大を回避しながら第２支持突部２５ひいては上枠コーナー部（具体的には各凹部２８の上側壁部分）の強度アップが図られ、段積み時における荷重の支持伝達部位としての耐久性等が飛躍的に向上する。
【００３９】
また、第２支持突部２５を一対の垂立壁４１，４２による二重壁構造としたことで、コンテナの水洗時等に前記各肉抜き部４６に水（あるいは埃やゴミ等）が進入することが考えられるが、各肉抜き部４６の底壁部分に連通孔４７を貫通形成したため、各肉抜き部４６に水等が進入した場合でも、その進入した水等を連通孔４７及び凹部２８を介してコンテナの外に排出することができる。
【００４０】
【発明の効果】
請求項１によれば、上枠のコーナー部に支持突部を設け、上枠及び底板のコーナー部を荷重の支持伝達のための主たる部位として機能させるという比較的簡素な構造を採用することで、段積み時における上段コンテナの荷重を確実に支持することが可能になると共に、機能障害に結びつくようなコンテナ構成部材の変形を防止することができる。また、上枠の辺部中央付近は荷重の支持伝達のための主たる部位ではなくなるため、従来例（及び前記比較例）にありがちな底板に対する上枠の食い込みが生じることはなく、食い込みを未然防止できる。
【００４１】
請求項２によれば、段積み時、上段コンテナの荷重が下段コンテナの上枠各コーナー部の支持突部により受承される一方で、上段コンテナの底板と下段コンテナの上枠の横ズレ規制用突部（１６）との間には、支持突部と横ズレ規制用突部との間の突出高差（ｈ２−ｈ３）に相当する隙間が確保され、横ズレ規制用突部が上段コンテナの荷重を直接受け止めることがない。このため、横ズレ規制用突部を介して上枠の辺部が下に押されることに起因するところの底板に対する上枠の食い込みを確実に回避できる。
【００４２】
請求項３によれば、上枠の上基準面に蓋を載置した状態（即ち蓋閉時）にある各コンテナを複数個垂直方向に段積みしても、上段コンテナの荷重は下段コンテナの支持突部によって受承され、蓋が荷重の支持伝達に関与することがない。このため、蓋の薄肉化、軽量化又は構造の簡素化を図ることができる。
【００４３】
請求項４によれば、上枠に設けられた支持突部の少なくとも一部が、上枠コーナー部の一側面において横方向に開口した凹部の直上に存在しているにもかかわらず、その支持突部を複数の垂立壁で構成することで、支持突部の重量増大を回避しながら支持突部ひいては上枠コーナー部の強度アップを図ることができる。従って、支持突部及び上枠コーナー部は、荷重の支持伝達部位としての耐久性及び衝撃性が向上して破損し難くなる。
【００４４】
請求項５によれば、連通孔を介して、支持突部を構成している複数の垂立壁間に確保される空間領域と、上枠コーナー部の一側面に開口形成された凹部とが垂直方向に連通されるため、前記空間領域に例えば水や埃等が進入した場合でも、その進入物を連通孔及び凹部を介してコンテナの外に排出可能となる。
【図面の簡単な説明】
【図１】組立て時における折り畳みコンテナの概略を示す斜視図。
【図２】折り畳まれたコンテナの（Ａ）は短辺側の側面図、（Ｂ）は長辺側の側面図。
【図３】折り畳まれたコンテナのコーナー部上側を示す斜視図。
【図４】折り畳まれたコンテナのコーナー部下側を示す斜視図。
【図５】（Ａ）は上枠の４分の１を示す平面図、（Ｂ）は同じ上枠の短辺側の側面図、（Ｃ）はＡ−Ａ線拡大断面図、（Ｄ）はＢ−Ｂ線拡大断面図。
【図６】（Ａ）は上枠の４分の１を示す平面図、（Ｂ）は同じ上枠の長辺側の側面図、（Ｃ）はＣ−Ｃ線拡大断面図、（Ｄ）はＤ−Ｄ線拡大断面図。
【図７】仮想事例（比較例）における図６（Ｄ）相当の断面図。
【符号の説明】
１…上枠、３…底板、５…あおり板（短側板）、７…折り板（長側板）、９…蓋、１４…上枠短辺部上壁の上面（上基準面）、１５…第１の支持突部、１６…横ズレ規制用突部、２４…上枠長辺部上壁の上面（上基準面）、２５…第２の支持突部（凹部２８の直上に位置する支持突部）、２８…上枠のコーナー部一側面にて横方向に開口した凹部、２８ａ…凹部の上側内壁面、４１，４２…第２の支持突部を構成する垂立壁、４６…肉抜き部（複数の垂立壁間に確保される空間領域）、４７…連通孔、ｈ１…第１の支持突部１５の突出高、ｈ２…第２の支持突部２５の突出高、ｈ３…横ズレ規制用突部１６の突出高。
【図１】
2004268919.tif 000003
【図２】
2004268919.tif 000004
【図３】
2004268919.tif 000005
【図４】
2004268919.tif 000006
【図５】
2004268919.tif 000007
【図６】
2004268919.tif 000008
【図７】
2004268919.tif 000009